(57)【要約】【課題】メンテナンスが容易で清掃することができ、常に目詰まりがなく噴流騒音の低減の大きい、かつ、安価な手乾燥装置を提供することを目的とする。【解決手段】凹状に形成された乾燥室１と、乾燥室１に向けて温風を噴出するノズル部２と、ノズル部２から噴出する空気を送出するファンモータ４とを備えた手乾燥装置であって、ノズル噴出口に脱着可能なサイレンサー９を備えたことにより、メンテナンスが容易で、低騒音な、安価な手乾燥装置を提供できる。【選択図】図１
2007151858.tif 000002
【特許請求の範囲】
【請求項１】
凹状に形成された乾燥室と、前記乾燥室に向けて温風を噴出するノズル部と、前記ノズル部から噴出する空気を送出するファンモータとを備えた手乾燥装置であって、ノズル噴出口に脱着可能なサイレンサーを備えたことを特徴とする手乾燥装置。
【請求項２】
サイレンサーに、整流構造を有したことを特徴とする請求項１記載の手乾燥装置。
【請求項３】
サイレンサーに、メッシュ状の整流板を設けたことを特徴とする請求項１または２記載の手乾燥装置。
【請求項４】
サイレンサーに、複数の突起を設けたことを特徴とする請求項１または２記載の手乾燥装置。
【請求項５】
サイレンサーに、ワイヤーを設けたことを特徴とする請求項１または２記載の手乾燥装置。
【請求項６】
サイレンサーの内壁面に、吸音材を設けたことを特徴とする請求項１または２記載の手乾燥装置。
【請求項７】
サイレンサーに、薄板を設けたことを特徴とする請求項１または２記載の手乾燥装置。
【請求項８】
サイレンサーに、風路拡張室を設けたことを特徴とする請求項１または２記載の手乾燥装置。
【請求項９】
凹状に形成された乾燥室と、前記乾燥室に向けて温風を噴出するノズル部と、前記ノズル部から噴出する空気を送出するファンモータを備えた手乾燥装置であって、ファンモータとノズル噴出口の間に整流板を備え、前記ノズル部の前面から前記整流板を取り外すことができることを特徴とする手乾燥装置。
【発明の詳細な説明】
【技術分野】
【０００１】
本発明は、洗面所やトイレなどで手を洗った後、濡れた手を乾燥させる手乾燥装置に関する。
【背景技術】
【０００２】
従来の手乾燥装置では、ノズル内部に整流格子を設け、整流格子により風路内を流れる風を整流し、ノズル吹出口から発生する騒音を低減していた。
【０００３】
以下、その手乾燥装置について、図１３および図１４を参照しながら説明する。
【０００４】
凹状に形成された乾燥室１０１と、乾燥室１０１に向けて温風を噴出するノズル部１０２と、ノズル部１０２から噴出する空気を送出するファンモータ１０３とを備えた手乾燥装置であって、ノズル部１０２に整流格子１０４を設け、整流格子１０４よりも小さい粒径の粉塵を除去する集塵フィルター１０５と、集塵フィルター１０５よりも大きい粉塵を捕集するプレフィルター１０６とを備えていた（例えば、特許文献１）。
【特許文献１】特開２００４−２５４９８９号公報
【発明の開示】
【発明が解決しようとする課題】
【０００５】
しかしながら、このような従来の手乾燥装置においては、長時間使用することにより風路内に侵入したほこりやごみで整流格子のメッシュが目づまりし、騒音低減の効果が少なくなり、本体を分解しなければ整流用のメッシュが取り出せないという課題があった。
【０００６】
また、目詰まりをなくすために、整流格子の前にフィルターが必要であり、コストアップになっていた。
【０００７】
本発明は、このような従来の課題を解決するもので、ノズル噴出口に脱着可能なサイレンサーを設けることにより、メンテナンスを容易にすることができ、清掃することで常に目詰まりがなく噴流騒音の低減の大きい、かつ、安価な手乾燥装置を得ることを目的とする。
【課題を解決するための手段】
【０００８】
本発明の手乾燥装置は、上記目的を達成するために、凹状に形成された乾燥室と、前記乾燥室に向けて温風を噴出するノズル部と、前記ノズル部から噴出する空気を送出するファンモータとを備えた手乾燥装置であって、ノズル噴出口に脱着可能なサイレンサーを備えたものである。
【０００９】
この手段により、メンテナンスが容易で、安価な手乾燥装置が得られる。
【００１０】
また、他の手段は、サイレンサーに、整流構造を有したものである。
【００１１】
この手段により、噴流騒音が低減できる手乾燥装置が得られる。
【００１２】
また、他の手段は、サイレンサーにメッシュ状の整流板を設けたものである。
【００１３】
この手段により、噴流騒音が低減できる手乾燥装置が得られる。
【００１４】
また、他の手段は、サイレンサーに複数の突起を設けたものである。
【００１５】
この手段により、噴流騒音が低減できる手乾燥装置が得られる。
【００１６】
また、他の手段は、サイレンサーにワイヤーを設けたものである。
【００１７】
この手段により、噴流騒音が低減できる手乾燥装置が得られる。
【００１８】
また、他の手段は、サイレンサーの内壁面に吸音材を設けたものである。
【００１９】
この手段により、噴流騒音が低減できる手乾燥装置が得られる。
【００２０】
また、他の手段は、サイレンサーに薄板を設けたものである。
【００２１】
この手段により、噴流騒音が低減できる手乾燥装置が得られる。
【００２２】
また、他の手段は、サイレンサーに風路拡張室を設けたものである。
【００２３】
この手段により、噴流騒音が低減できる手乾燥装置が得られる。
【００２４】
また、他の手段は、手乾燥装置において凹状に形成された乾燥室と、前記乾燥室に向けて温風を噴出するノズル部と、前記ノズル部から噴出する空気を送出するファンモータを備えた手乾燥装置であって、ファンモータとノズル噴出口の間に整流板を備え、前記ノズル部の前面から前記整流板を取り外すことができるものである。
【００２５】
この手段により、メンテナンスが容易にできる手乾燥装置が得られる。
【発明の効果】
【００２６】
本発明によれば、ノズル噴出口に脱着可能なサイレンサーを設けることにより、メンテナンスおよび清掃が容易にでき、メッシュの目詰まりを防ぐための集塵フィルターが必要ないので、安価にすることができる手乾燥装置を提供することができる。
【００２７】
また、ノズル噴出口に整流構造を有する脱着可能なサイレンサーを備えることにより、整流構造が噴流を整流化するためノズルから発生する流体騒音を抑えることができる手乾燥装置を提供できる。
【００２８】
また、サイレンサーにメッシュ状の整流板を設けることにより、メッシュの格子が流れを細分化して整流効果を高め、流れの乱れによる噴流騒音を低減することができる手乾燥装置を提供できる。
【００２９】
また、サイレンサーに複数の突起を設けることにより、流れが突起を通過するときに縦渦が発生し、この縦渦を発生させることにより、噴流騒音を低減することができる手乾燥装置を提供できる。
【００３０】
また、サイレンサーにワイヤーを設けることにより、流れが細分化して整流効果を高め、噴流騒音を低減することができる手乾燥装置を提供できる。
【００３１】
また、サイレンサーの内壁面に吸音材を設けることにより、噴流騒音を吸音することができ、噴流騒音を低減することができる手乾燥装置が提供できる。
【００３２】
また、サイレンサーに薄板を設けることにより、薄板を沿う流れが乱流を層流に変えるとともに、流れを細分化するので整流効果を高め、流れの乱れによる噴流騒音を低減することができる手乾燥装置を提供できる。
【００３３】
また、サイレンサーに風路拡張室を設けることにより、拡張室を通過する際に、流れが一度膨張し、再び圧縮され、噴流騒音を低減することができる手乾燥装置が提供できる。
【００３４】
また、ファンモータとノズル噴出口の間に整流板を備え、ノズル部の前面から前記整流板を取り外すことができる構造にしたものにより、メンテナンスが容易で簡単に清掃ができるので、整流板の整流格子を常に目詰まりのない状態に保つことができる手乾燥装置を提供できる。
【発明を実施するための最良の形態】
【００３５】
本発明の請求項１記載の手乾燥装置は、凹状に形成された乾燥室と、前記乾燥室に向けて温風を噴出するノズル部と、前記ノズル部から噴出する空気を送出するファンモータとを備えた手乾燥装置であって、ノズル噴出口に脱着可能なサイレンサーを備えたものであり、メンテナンスおよび清掃が容易にでき、メッシュの目詰まりを防ぐための集塵フィルターが必要ないので、安価にする作用を有する。
【００３６】
また、本発明の請求項２記載の手乾燥装置は、サイレンサーに、整流構造を有したものであり、ノズル内を流れる噴流を整流構造により整流することにより、流路内の抵抗を減らし、乱流による噴流騒音を抑制する作用を有する。
【００３７】
また、本発明の請求項３記載の手乾燥装置は、サイレンサーにメッシュ状の整流板を設けたものであり、ノズル内を流れる噴流をメッシュにより整流し、流れを細分化することにより、流路内の抵抗を減らし、乱流による噴流騒音を抑制する作用を有する。
【００３８】
また、本発明の請求項４記載の手乾燥装置は、サイレンサーに複数の突起を設けたもので、ノズル内の流れが突起を通過する際に、縦渦が発生し、噴流構造が変わるため、乱流による噴流騒音を抑制する作用を有する。
【００３９】
また、本発明の請求項５記載の手乾燥装置は、サイレンサーにワイヤーを設けたもので、ノズル内の流れが突起を通過する際に、縦渦が発生し、噴流構造が変わるため、乱流による噴流騒音を抑制する作用を有する。
【００４０】
また、本発明の請求項６記載の手乾燥装置は、サイレンサーの内壁面に吸音材を設けたもので、ノズル内を通過する際に発生する噴流騒音を吸音することにより、噴流騒音を抑制する作用を有する。
【００４１】
また、本発明の請求項７記載の手乾燥装置は、サイレンサーに薄板を設けたもので、ノズル内を流れる噴流を細分化し、スムーズな流れを作り、噴流騒音を抑制する作用を有する。
【００４２】
また、本発明の請求項８記載の手乾燥装置は、サイレンサーに風路拡張室を設けたもので、風路内の一部が消音マフラー機構となり、噴流騒音を抑制する作用を有する。
【００４３】
また、本発明の請求項９記載の手乾燥装置は、凹状に形成された乾燥室と、前記乾燥室に向けて温風を噴出するノズル部と、前記ノズル部から噴出する空気を送出するファンモータを備えた手乾燥装置であって、ファンモータとノズル噴出口の間に整流板を備え、前記ノズル部の前面から前記整流板を取り外すことができるもので、容易に整流板のメンテナンスができる作用を有する。
【００４４】
以下、本発明の実施の形態について図面を用いて説明する。
【００４５】
（実施の形態１）
図１を用いて、本実施の形態１による手乾燥装置の外観形状について説明する。
【００４６】
図１に示すように、本実施の形態１による手乾燥装置は、装置本体の下部に乾燥室１を形成している。乾燥室１は、濡れた手を挿入できるよう凹状の空間を形成している。乾燥室１の上方には、ノズル部２が設けられている。装置本体は、本体ケース３に覆われており、内部にはファンモータ４が設置されている。吸い込み口５から吸い込まれた空気は、ファンモータ４によって送風され、ノズル部２より乾燥室１に向かって吹出される。ノズル部２には、脱着し整流構造を有するサイレンサー９が設けられている。ノズル部２から吹出された高速の噴流は、手に付いた水滴を吹き飛ばし、乾燥室１の底部６の排水口７よりドレンカップ８に集められる。
【００４７】
次に、図２〜図５を用いて、ノズル部２について説明する。
【００４８】
ノズル部２は、図２〜図４に示すように、ノズル吹出口１０とサイレンサー９で構成されており、サイレンサー９は、本体から脱着可能な構造となっている。図４に示すように、サイレンサー９は、ノズル吹出口１０に取り外し可能な固定ネジ１１によって固定されている。固定ネジ１１を外すことにより、サイレンサー９のみを容易に脱着することができ、メンテナンスを行うことができる。
【００４９】
図５に示すように、ノズル部２の内部には、ヒーター１２が設けてあり、温風を吹出せる構造になっている。また、サイレンサー９は、ファンモータ４から送風される吹出し風を整流する整流構造１３を有しており、吹出しノズルからの噴流による騒音を低減・抑制することが可能となる。
【００５０】
次に、図６〜図１１を用いて、サイレンサー９の内部構造について説明する。
【００５１】
図６は、サイレンサー９の整流構造に、メッシュ１４の整流格子を使用したものである。サイレンサー９の内部に取り外し可能なメッシュ１４を置くことで、ノズル吹出口１０からの噴流を細分化し、乱流構造を変えるため噴流の騒音低減・抑制することができる。メッシュ径は、細かいほど整流効果および騒音低減の効果を得ることができる。
【００５２】
図７は、サイレンサー９の吹出口に、突起１５を設けたものである。サイレンサー９の吹出し口内部側面に突起１５を複数設け、ノズル吹出口からの噴流に縦渦を発生させることで、噴流構造を変化させることができる。これにより噴流の騒音低減・抑制することができる。突起１５の形状は、三角錐が最も騒音低減効果が大きいが他の形状でもよい。
【００５３】
また、突起１５の設置間隔も自由に変えることができる。
【００５４】
図８は、サイレンサー９の吹出口に、ワイヤー１６を設けたものである。サイレンサー９の吹出口に、長手方向にワイヤー１６を張ったものである。噴流に縦渦を発生させることで、噴流構造を変化させることができる。これにより噴流の騒音低減・抑制することができる。ワイヤー１６は、長手方向のみならず、短手方向に複数設けてもよい。
【００５５】
また吹出し口中心で直行するように格子状に張ってもよい。
【００５６】
図９は、サイレンサー９の吹出口に、薄板１７を設けたものである。サイレンサー９の吹出口に、長手方向に薄板１７を張ったものである。噴流を細分化し、乱流構造を変えるため、噴流の騒音低減・抑制することができる。薄板１７は、長手方向のみならず、短手方向に複数設けてもよい。
【００５７】
また、吹出口中心で、直行するように格子状に設置してもよい。
【００５８】
図１０は、サイレンサー９の吹出口内部に、吸音材１８を設けたものである。サイレンサー９の内部に、ウレタンなどの空気層をもった吸音材１８を設けることで、ノズル吹出口１０からの噴流騒音を吸音して騒音低減・抑制することができる。
【００５９】
図１１は、サイレンサー９内部に、風路拡張室１９を設けたものである。ノズル風路内に、風路拡張室１９を設けることで、ノズル風路内の空気が一度膨張する。その後、収縮することでマフラー構造となり、風路内の騒音を消音することができる。
【００６０】
（実施の形態２）
以下、本発明の実施の形態２について図面を用いて説明する。
【００６１】
図１２は、ノズル部分の整流板取り外し機構図である。ノズル吹出口のノズル前面２０が、ヒンジ機構２１のパネルとなっており、このノズル前面２０部を開閉し、整流板２２の出し入れを行うことができる。メンテナンスを容易に行えるので、整流板２２の目詰まりを防ぎ、結果、騒音低減効果を常に保つことができる。
【産業上の利用可能性】
【００６２】
本発明の手乾燥装置は、レストランやホテルなどの洗面所やトイレに設置され、また病院の手術室や調理場においても有用である。
【図面の簡単な説明】
【００６３】
【図１】本発明の実施の形態１の手乾燥装置の構成図
【図２】同手乾燥装置の正面図
【図３】同手乾燥装置の正面図
【図４】同ノズル部の下方からの斜視図
【図５】同ノズル部の断面図
【図６】同サイレンサー構成図
【図７】同サイレンサーの構成図
【図８】同サイレンサーの構成図
【図９】同サイレンサーの構成図
【図１０】同サイレンサーの構成図
【図１１】同イレンサーの構成図
【図１２】同実施の形態２のノズル部の断面図
【図１３】従来の手乾燥装置の斜視図
【図１４】同手乾燥装置の主要構成図
【符号の説明】
【００６４】
１    乾燥室
２    ノズル部
４    ファンモータ
９    サイレンサー
１３  整流構造
１４  メッシュ
１５  突起
１６  ワイヤー
１７  薄板
１８  吸音材
１９  風路拡張室
２２  整流板
【図１】
2007151858.tif 000003
【図２】
2007151858.tif 000004
【図３】
2007151858.tif 000005
【図４】
2007151858.tif 000006
【図５】
2007151858.tif 000007
【図６】
2007151858.tif 000008
【図７】
2007151858.tif 000009
【図８】
2007151858.tif 000010
【図９】
2007151858.tif 000011
【図１０】
2007151858.tif 000012
【図１１】
2007151858.tif 000013
【図１２】
2007151858.tif 000014
【図１３】
2007151858.tif 000015
【図１４】
2007151858.tif 000016